【手続補正書】
【提出日】平成30年7月5日(2018.7.5)
【手続補正１】
【補正対象書類名】特許請求の範囲
【補正対象項目名】全文
【補正方法】変更
【補正の内容】
【特許請求の範囲】
【請求項１】
第１の光電変換部と第２の光電変換部とをそれぞれが含む複数の画素を有し、前記第１の光電変換部において第１の蓄積期間の間に生成された信号電荷に基づく第１の映像信号と、前記第２の光電変換部において前記第１の蓄積期間とは異なる第２の蓄積期間の間に生成された信号電荷に基づく映像信号であって、前記第１の映像信号と同期した第２の映像信号とを取得する撮像素子と、
被写体の光学像を前記撮像素子に結像する撮影光学系と、
前記第２の映像信号に基づいて、前記第２の光電変換部において信号電荷が生成される際に前記第２の光電変換部から前記第１の光電変換部に漏れ込んだ前記信号電荷に基づくクロストーク成分を、前記第１の映像信号から除去するように構成されたクロストーク補正部と
を有することを特徴とする撮像装置。
【請求項２】
前記第２の蓄積期間は、前記第１の蓄積期間よりも長い
ことを特徴とする請求項１記載の撮像装置。
【請求項３】
前記第１の光電変換部の受光効率は、前記第２の光電変換部の受光効率よりも高い
ことを特徴とする請求項１又は２記載の撮像装置。
【請求項４】
前記撮像素子は、前記第１の映像信号及び前記第２の映像信号のいずれか一方を記録する際に、前記第１の映像信号及び前記第２の映像信号の両方を取得する
ことを特徴とする請求項１乃至３のいずれか１項に記載の撮像装置。
【請求項５】
前記クロストーク補正部は、前記撮影光学系の特性に応じてクロストーク補正量を変化する
ことを特徴とする請求項１乃至４のいずれか１項に記載の撮像装置。
【請求項６】
第１の光電変換部と第２の光電変換部とをそれぞれが含む複数の画素を有する撮像素子により生成された映像信号を処理する映像処理装置であって、
前記撮像素子から、前記第１の光電変換部において第１の蓄積期間の間に生成された信号電荷に基づく第１の映像信号と、前記第２の光電変換部において前記第１の蓄積期間とは異なる第２の蓄積期間の間に生成された信号電荷に基づく映像信号であって、前記第１の映像信号と同期した第２の映像信号とを受信し、前記第２の映像信号に基づいて、前記第２の光電変換部において信号電荷が生成される際に前記第２の光電変換部から前記第１の光電変換部に漏れ込んだ前記信号電荷に基づく第１のクロストーク成分を前記第１の映像信号から除去するように構成されたクロストーク補正部を有する
ことを特徴とする映像処理装置。
【請求項７】
前記クロストーク補正部は、前記第１の光電変換部において信号電荷が生成される際に前記第１の光電変換部から前記第２の光電変換部に漏れ込んだ前記信号電荷に基づく第２のクロストーク成分を、前記第１の映像信号に基づいて前記第２の映像信号から除去する
ことを特徴とする請求項６記載の映像処理装置。
【請求項８】
前記第２の蓄積期間は、前記第１の蓄積期間よりも長い
ことを特徴とする請求項６又は７記載の映像処理装置。
【請求項９】
前記クロストーク補正部は、前記第２の映像信号及び前記第１の蓄積期間の長さに基づいて、前記第１の映像信号から前記第１のクロストーク成分を除去するように構成されている
ことを特徴とする請求項８記載の映像処理装置。
【請求項１０】
前記第１の映像信号のフレームレートは、前記第２の映像信号のフレームレートよりも高く設定されており、
前記クロストーク補正部は、前記第２の蓄積期間の長さと、前記第２の映像信号の１フレーム当たりの時間との関係に応じて異なる補正を実施する
ことを特徴とする請求項６乃至９のいずれか１項に記載の映像処理装置。
【請求項１１】
前記クロストーク補正部によってクロストーク補正を行った前記第１の映像信号及び前記第２の映像信号を用いてハイ・ダイナミックレンジ映像を合成するハイ・ダイナミックレンジ映像合成部を更に有する
ことを特徴とする請求項６乃至１０のいずれか１項に記載の映像処理装置。
【請求項１２】
前記ハイ・ダイナミックレンジ映像において、前記第１の映像信号は、輝度レベルの高い領域における合成比率が前記第２の映像信号よりも高い
ことを特徴とする請求項１１に記載の映像処理装置。
【請求項１３】
第１の光電変換部と第２の光電変換部とをそれぞれが含む複数の画素を有する撮像素子により生成された映像信号を処理する映像処理方法であって、
前記撮像素子から、前記第１の光電変換部において第１の蓄積期間の間に生成された信号電荷に基づく第１の映像信号を受信するステップと、
前記撮像素子から、前記第２の光電変換部において前記第１の蓄積期間とは異なる第２の蓄積期間の間に生成された信号電荷に基づく映像信号であって、前記第１の映像信号と同期した第２の映像信号とを受信するステップと、
前記第２の映像信号に基づいて、前記第２の光電変換部において信号電荷が生成される際に前記第２の光電変換部から前記第１の光電変換部に漏れ込んだ前記信号電荷に基づく第１のクロストーク成分を前記第１の映像信号から除去するステップと
を有することを特徴とする映像処理方法。
【請求項１４】
第１の光電変換部と第２の光電変換部とをそれぞれが含む複数の画素を有する撮像素子により生成された映像信号を処理する映像処理装置において実行されるプログラムであって、コンピュータを、
前記撮像素子から、前記第１の光電変換部において第１の蓄積期間の間に生成された信号電荷に基づく第１の映像信号を受信する手段、
前記撮像素子から、前記第２の光電変換部において前記第１の蓄積期間とは異なる第２の蓄積期間の間に生成された信号電荷に基づく映像信号であって、前記第１の映像信号と同期した第２の映像信号とを受信する手段、及び
前記第２の映像信号に基づいて、前記第２の光電変換部において信号電荷が生成される際に前記第２の光電変換部から前記第１の光電変換部に漏れ込んだ前記信号電荷に基づく第１のクロストーク成分を前記第１の映像信号から除去する手段
として機能させるプログラム。
【請求項１５】
請求項１４に記載のプログラムを記録したコンピュータが読み取り可能な記憶媒体。
【手続補正２】
【補正対象書類名】明細書
【補正対象項目名】００１２
【補正方法】変更
【補正の内容】
【００１２】
本発明の一観点によれば、第１の光電変換部と第２の光電変換部とをそれぞれが含む複数の画素を有し、前記第１の光電変換部において第１の蓄積期間の間に生成された信号電荷に基づく第１の映像信号と、前記第２の光電変換部において前記第１の蓄積期間とは異なる第２の蓄積期間の間に生成された信号電荷に基づく映像信号であって、前記第１の映像信号と同期した第２の映像信号とを取得する撮像素子と、被写体の光学像を前記撮像素子に結像する撮影光学系と、前記第２の映像信号に基づいて、前記第２の光電変換部において信号電荷が生成される際に前記第２の光電変換部から前記第１の光電変換部に漏れ込んだ前記信号電荷に基づくクロストーク成分を、前記第１の映像信号から除去するように構成されたクロストーク補正部とを有する撮像装置が提供される。
【手続補正３】
【補正対象書類名】明細書
【補正対象項目名】００１３
【補正方法】変更
【補正の内容】
【００１３】
また、本発明の他の一観点によれば、第１の光電変換部と第２の光電変換部とをそれぞれが含む複数の画素を有する撮像素子により生成された映像信号を処理する映像処理装置であって、前記撮像素子から、前記第１の光電変換部において第１の蓄積期間の間に生成された信号電荷に基づく第１の映像信号と、前記第２の光電変換部において前記第１の蓄積期間とは異なる第２の蓄積期間の間に生成された信号電荷に基づく映像信号であって、前記第１の映像信号と同期した第２の映像信号とを受信し、前記第２の映像信号に基づいて、前記第２の光電変換部において信号電荷が生成される際に前記第２の光電変換部から前記第１の光電変換部に漏れ込んだ前記信号電荷に基づく第１のクロストーク成分を前記第１の映像信号から除去するように構成されたクロストーク補正部を有する映像処理装置が提供される。
【手続補正４】
【補正対象書類名】明細書
【補正対象項目名】００１４
【補正方法】変更
【補正の内容】
【００１４】
また、本発明の更に他の観点によれば、第１の光電変換部と第２の光電変換部とをそれぞれが含む複数の画素を有する撮像素子により生成された映像信号を処理する映像処理方法であって、前記撮像素子から、前記第１の光電変換部において第１の蓄積期間の間に生成された信号電荷に基づく第１の映像信号を受信するステップと、前記撮像素子から、前記第２の光電変換部において前記第１の蓄積期間とは異なる第２の蓄積期間の間に生成された信号電荷に基づく映像信号であって、前記第１の映像信号と同期した第２の映像信号とを受信するステップと、前記第２の映像信号に基づいて、前記第２の光電変換部において信号電荷が生成される際に前記第２の光電変換部から前記第１の光電変換部に漏れ込んだ前記信号電荷に基づく第１のクロストーク成分を前記第１の映像信号から除去するステップとを有する映像処理方法が提供される。